(57)【要約】  【課題】手軽に使用することができ、効果的に直腸内の便を排出することのできる排便補助器具を提供する。  【解決手段】肛門から直腸内に挿入されて使用される排便補助器具１において、先端側に位置する、長尺部材５をらせん状に巻いたらせん部１０と、根元側に位置する取っ手部２０と、を備える。また、長尺部材５は、長尺の帯板５である。また、らせん部１０は、帯板５の表面が排便補助器具１の長手方向に略平行となるように巻いた構造である。また、らせん部１０は、帯板５の表面が排便補助器具１の長手方向に平行な状態より、先端側が外側に10〜50°傾斜して巻いた構造である。【選択図】図１
2020054710.tif 000002
【特許請求の範囲】
【請求項１】
肛門から直腸内に挿入されて使用される排便補助器具において、
先端側に位置する、長尺部材をらせん状に巻いたらせん部と、
根元側に位置する取っ手部と、を備えることを特徴とする排便補助器具。
【請求項２】
前記長尺部材は、長尺の帯板であることを特徴とする請求項１記載の排便補助器具。
【請求項３】
前記らせん部は、前記帯板の表面が前記排便補助器具の長手方向に略平行となるように巻いた構造であることを特徴とする請求項２記載の排便補助器具。
【請求項４】
前記らせん部は、前記帯板の表面が前記排便補助器具の長手方向に平行な状態より、先端側が外側に10〜50°傾斜して巻いた構造であることを特徴とする請求項２記載の排便補助器具。
【請求項５】
前記らせん部は、長手方向において隣接する長尺部材の間の隙間が10mm以上であることを特徴とする請求項１乃至４何れか１項記載の排便補助器具。
【請求項６】
前記らせん部は、合成樹脂から形成されると共に、略全長にわたって延在して内部に埋め込まれた針金を備えることを特徴とする請求項１乃至５何れか１項記載の排便補助器具。
【発明の詳細な説明】
【技術分野】
【０００１】
本発明は、直腸内の便の排出を補助するための排便補助器具に関する。
【背景技術】
【０００２】
直腸内に溜まった宿便を摘出したり排便を補助したりするための器具が提供されており、例えば、下記特許文献１〜４に開示されている。
【先行技術文献】
【特許文献】
【０００３】
【特許文献１】特開２０１７−１２４１４８号公報
【特許文献２】特許第６２８９７０６号公報
【特許文献３】特開２０１１−１７２６１９号公報
【特許文献４】特開２００６−２０４９００号公報
【発明の概要】
【発明が解決しようとする課題】
【０００４】
しかし、上記特許文献１〜４に開示された摘便器具や排便補助器具は、液体等を直腸内に挿入する等の手間がかかったり、少量の宿便しか摘出できないなどの課題があり、未だ効果的な摘便器具や排便補助器具は提供されていない。
【０００５】
本発明は、このような課題に鑑みてなされたものであり、手軽に使用することができ、効果的に直腸内の便を排出することのできる排便補助器具を提供することを目的とする。
【課題を解決するための手段】
【０００６】
上記課題を解決するための本発明に係る排便補助器具は、肛門から直腸内に挿入されて使用される排便補助器具において、先端側に位置する、長尺部材をらせん状に巻いたらせん部と、根元側に位置する取っ手部と、を備えることを特徴とする。
【発明の効果】
【０００７】
本発明に係る排便補助器具によれば、シンプルな構造であり、容易に直腸内に挿入して、効果的に直腸内の便を排出することができる。
【図面の簡単な説明】
【０００８】
【図１】図１は、本発明の実施形態に係る排便補助器具の斜視図である。
【図２】図２は、本発明の実施形態に係る排便補助器具の構成を示す図である。
【図３】図３は、本発明の実施形態に係る排便補助器具の挿入状態を示す図である。
【図４】図４は、本発明の実施形態の変形例に係る排便補助器具の斜視図である。
【図５】図５は、本発明の実施形態の変形例に係る排便補助器具の構成を示す図である。
【発明を実施するための形態】
【０００９】
以下、図面を参照しながら、本発明の実施形態について説明する。本実施形態では、直腸内に溜まった便を摘出するために直腸内に挿入される排便補助器具であって、長尺の帯板をらせん状に巻いた構造の器具について説明する。
【００１０】
図１は、本実施形態に係る排便補助器具の斜視図である。図２は、本実施形態に係る排便補助器具の構成を示す図であり、図２（ａ）は平面図、図２（ｂ）は正面図である。排便補助器具１は、一本の長尺の帯板５を折り曲げて構成され、先端から、らせん部１０と、ストレート部１５と、取っ手部２０とを備えている。
【００１１】
なお、本実施形態では、排便補助器具１を直腸内に挿入する際に、先に挿入されて奥に位置する側を先端とし、反対側の端部を根元端とする。よって、図１において、上方端部が器具の先端、下方端部が器具の根元端となる。
【００１２】
らせん部１０は、帯板５をその表面が排便補助器具１の長手方向に略平行となるようにらせん状に巻いた構造である。らせん部１０は、全体として略筒形状であるが、ストレート部１５との接続部を除いて帯板５が側面にのみ位置し、先端は大きく開放されて開口している。
【００１３】
取っ手部２０は、帯板５の根元端８を、排便補助器具１の長手方向に対して垂直に所定の長さ折り曲げた構造である。ストレート部１５は、長手方向に略真っ直ぐに延在する帯板５の部分であり、らせん部１０と取っ手部２０とを一体に連結する。
【００１４】
ここで、排便補助器具１を構成する帯板５は、幅5〜6mm、厚み約2mmの長尺平板である。らせん部１０のらせんピッチは、約21mmであり、内径は約20mm、長手方向に隣接する帯板５の隙間の長さは約15mmである。排便補助器具１の全長は、12cm程度であり、らせん部１０の長手方向の長さは8cm程度である。
【００１５】
また、排便補助器具１は、図１に破線で示すように、帯板根元端８から帯板先端７の略全長にわたって延在して帯板５内に埋め込まれた長尺の針金３５を備える。帯板５内に略全長にわたって延在する針金３５を埋め込むことで、帯板５が折れたり割れたりする等の排便補助器具１の破損を防止することができる。
【００１６】
排便補助器具１は、エポキシ樹脂製であり、二液性エポキシ樹脂を上記形状に成形しながら硬化させることで製造される。もちろん、排便補助器具１の素材は、エポキシ樹脂に限定されるものではなく、その他の合成樹脂や天然樹脂、ガラス、金属等、その他の素材を用いることができる。
【００１７】
なお、排便補助器具１のサイズは適宜変更可能であり、子供用の場合には、小さいサイズの排便補助器具１を使用すれば良い。また、複数のサイズの排便補助器具１をセットにして提供するようにすれば、様々なシチュエーションに対応することができる。
【００１８】
例えば、宿便が非常に硬くなっている場合には、基本的には、便の太さに近い径のサイズの排便補助器具１を使うのが望ましく、直径が40mm程度の宿便であれば、らせん部１０の内径が40mm程度の排便補助器具１を使って、手前側から少しずつ便を崩して取り出せば良い。
【００１９】
また、比較的柔らかい便の場合には、便よりも細いサイズの排便補助器具１を使っても便の中をらせん部１０が通過できるので、容易に便が取り出せる。もちろん、便よりも太いサイズの排便補助器具１を使って便を一気に排出することもできる。また、直腸内に少量残った便を取り出す場合には、細いサイズの排便補助器具１を使えば、便の捕捉を容易に行うことができる。
【００２０】
続いて、図３を参照しながら、排便補助器具１の使用形態について説明する。図３に示すように、排便補助器具１は、帯板先端７を奥にして、肛門Ｂから直腸Ａ内に挿入して使用される。
【００２１】
排便補助器具１の挿入にあたっては、らせん部１０の帯板５の外表面が筒状の直腸Ａの内壁面に平行となるように、らせん部１０を直腸Ａの出入口である肛門Ｂから直腸Ａ内に真っ直ぐ挿入する。直腸Ａは伸縮自在のため、直腸Ａ内はある程度広いが、肛門Ｂの穴の周囲には内外肛門括約筋Ｃが位置し、穴が狭いため、太い挿入物を入れるのは困難である。
【００２２】
これに対して、本実施形態では、排便補助器具１は、全体としては円筒形状であるが、側面に位置する帯板５がらせん状（根元側から見て時計回り）に巻かれると共に、長手方向に隣接する帯板５の間に、肛門括約筋Ｃの厚み（挿入方向の長さ）に対応する15mmの隙間が形成されている。
【００２３】
よって、排便補助器具１を根元側からみて中心軸回りに反時計回りに回転させながら帯板先端７から肛門Ｂ内へと挿入することで、一本の帯板５が帯板先端７から帯板根元端８へかけて順次肛門Ｂを通過する。
【００２４】
すなわち、排便補助器具１の直腸Ａ内への挿入にあたって、肛門Ｂを一時に通過するのは、幅5〜6mm、厚み約2mmの一本の帯板５のみとなるため、狭い穴を容易に通過させることができる。
【００２５】
また、排便補助器具１の器具先端は開口しているので、直腸Ａ内に宿便が存在する場合に、らせん部１０が直腸Ａ内に進入しても、便が先端開口かららせん部１０内に入ることができ、らせん部１０の進入にあたって宿便が奥へ押し込まれることがない。よって、直腸Ａ内の肛門付近に宿便が溜まっている場合でも、排便補助器具１を容易に直腸Ａ内に挿入することができる。
【００２６】
このとき、らせん部１０の外径は約24mmであり、膨らんだ状態でない通常サイズの直腸Ａであれば、らせん部１０の外径よりも細いため、らせん部１０の帯板５の外表面が直腸Ａの内壁面に接触し、直腸Ａを押し広げながら内部へ進むことになる。
【００２７】
一般に、便秘の場合の宿便は、直腸Ａの内壁面に貼り付いている場合が多く、便が排出されない一因となっている。これに対して、本実施形態によれば、排便補助器具１の直腸Ａ内への挿入の際に、帯板５が便と直腸Ａの内壁面との間に入り込むように挿入することで、直腸Ａの内壁面から便を剥がすことができ、便を取り出しやすくすることもできる。
【００２８】
排便補助器具１を直腸Ａ内の奥へと挿入し、取っ手部２０が肛門Ｂに到達すると、挿入が完了する。このとき、直腸Ａ内に位置していた便の一部は、らせん部１０内に保持されている。
【００２９】
よって、挿入後、使用者が取っ手部２０を摘まんで引っ張ることで、排便補助器具１を直腸Ａ内から抜き出すことができ、らせん部１０内に保持されている便も一緒に排出することができる。
【００３０】
なお、排便補助器具１の使用形態としては、事前に便が無い状態の直腸Ａ内に挿入して留置しておき、便が溜まったら排便補助器具１を抜き出して便を排出するようにしても良い。
【００３１】
続いて、本実施形の変形例について、図４及び図５を参照しながら説明する。図４は、本変形例に係る排便補助器具の斜視図であり、図５は、本変形例に係る排便補助器具の構成を示す図であり、図５（ａ）は平面図、図５（ｂ）は正面図である。
【００３２】
本変形例に係る排便補助器具１'は、らせん部１０'の構造が上記実施形態のらせん部１０と異なるが、その他の構造は上記実施形態に係る排便補助器具１と同じであるため、異なる点を中心に説明する。
【００３３】
排便補助器具１'は、一本の長尺の帯板５'を折り曲げて構成され、先端から、らせん部１０'と、ストレート部１５と、取っ手部２０とを備えている。らせん部１０'では、帯板５'は、その表面が長手方向に平行ではなく、先端側が外側になるように約30°程度傾斜している。
【００３４】
このように、らせん部１０'の帯板５'表面が長手方向に平行な状態から先端側が外側になるように傾斜した姿勢であれば、らせん部１０'の直腸Ａ内への進入に伴って、直腸Ａ内壁面から剥がされるなどしてらせん部１０'内に進入してくる便が中央に寄せられて圧縮されるため、排便補助器具１'を抜く際に、らせん部１０'内に収容された便を排便補助器具１'と一緒に確実に外部に摘出することができる。
【００３５】
もちろん、この帯板５'の長手方向に平行な状態からの先端側の外側への傾斜角度は適宜変更可能であり、良好な挿入と便の圧縮を実現するためには、10〜50°程度であるのが望ましい。
【００３６】
以上、変形例を含めて本発明の実施形態について説明したが、本発明の実施の形態は上記形態に限定されるものではなく、本発明の主旨を逸脱しない範囲内で種々の変形が可能である。例えば、排便補助器具の素材や形状、サイズ等は適宜変更可能であり、排便補助器具は、人間だけでなく、犬や猫等の動物にも使用することができる。
【００３７】
なお、らせん部１０での長手方向に隣接する帯板５の間の隙間の長さは、10mm以上であるのが望ましい。一般に、成人の肛門括約筋の挿入方向の厚みが20mm程度であり、らせん部や肛門括約筋の変形等を考慮すれば、隙間が10mm以上であれば、隣接する帯板の間に肛門括約筋を挟みながららせん部を回転させて、肛門の部分を通過させることができる。
【００３８】
また、上記実施形態では、取っ手部をらせん部と一体に帯板から構成したが、取っ手部は、木製の取っ手等、別素材で形成された別体の取っ手としても良い。また、ストレート部は省略することもできる。
【００３９】
また、上記実施形態では、らせん部で巻かれる長尺部材として長尺帯板を採用したが、長尺の棒状部材等、らせん状に巻くことのできる長尺のものであれば、適宜長尺部材として採用することができる。
【００４０】
また、上記実施形態では、らせん部の先端から根元側まで同じ径としたが、途中で径を変えるようにしても良い。例えば、らせん部の先端から根元側へと徐々に径を太くするように構成すれば、1つの排便補助器具で色々なサイズの直腸に対応することが可能となる。
【００４１】
また、排便補助器具の取っ手部に縫合糸等の取出糸を連結しておいても良い。取っ手部が直腸内に誤進入した場合であっても、取出糸があれば、排便補助器具を容易に直腸内から取り出すことができる。
【符号の説明】
【００４２】
１    排便補助器具
５    帯板
７    帯板先端
８    帯板根元端
１０  らせん部
１５  ストレート部
２０  取っ手部
３５  針金
Ａ    直腸
Ｂ    肛門
Ｃ    肛門括約筋
【図１】
2020054710.tif 000003
【図２】
2020054710.tif 000004
【図３】
2020054710.tif 000005
【図４】
2020054710.tif 000006
【図５】
2020054710.tif 000007